(57)【特許請求の範囲】
【請求項１】
下部が閉塞されて濾過すべき原液が収納されたのち上部が閉塞される筒状の濾材（１）を押圧し、かつ、濾材対向面に、上記濾材を通過する濾液を下方に落下させるように水平方向に対して斜め下向きに傾斜した横溝（３５ａ，３１ａ）を備えるようにしたことを特徴とする濾過装置の濾板。
【請求項２】
上記横溝は、濾板中央部を中心として、上記中央部から濾板横方向の一端縁及び上記中央部から濾板横方向の他端縁にそれぞれ向うに従い斜め下向きに傾斜した八の字状に形成する請求項１に記載の濾過装置の濾板。
【請求項３】
下部が閉塞されて濾過すべき原液が収納されたのち上部が閉塞される筒状の濾材（１）と、
上記濾材を支持する支持体（２）と、
請求項１又は２に記載の濾板より構成されかつ上記支持体に支持された上記濾材の上記下部と上記上部を閉塞した状態で上記濾材を押圧する押板（３５）と、
請求項１又は２に記載の濾板より構成されかつ上記支持体に支持された上記濾材の上記下部と上記上部を閉塞した状態で上記濾材を上記押板との間で挟み込んで押圧して圧搾濾過させる受板（３１）と、
上記支持体に支持された上記濾材の下部を閉塞可能な第１開閉装置（６）と、
上記支持体に支持された上記濾材の上部を閉塞可能な第２開閉装置（７）とを備えることを特徴とする濾過装置。
【請求項４】
上記受板に、上記濾材を受け入れる凹部（３１ｄ）が形成された板体とし、上記押板は上記濾材を受け入れる凹部無しの板体とする請求項３に記載の濾過装置。
【請求項５】
上記受板に、上記原液の液体成分が所定量排出されたかを検出する通電用レベル板（８５）を備えている請求項３又は４に記載の濾過装置。
【発明の詳細な説明】
【０００１】
【発明の属する技術分野】
本発明は、筒状濾材の下部を閉じた後、濾材内に原液を供給して圧搾濾過を行うようにした濾過装置に使用する濾板及び濾過装置に関する。
【０００２】
【従来の技術】
従来この種の濾過装置の濾板は種々の構造のものが提案されている。
【０００３】
例えば、特開平４−３２２７０６号公報には、筒状濾材の下端部開口を閉塞棒で押圧して閉じて袋状にしたのち、上端部開口より原液を供給し、押圧板を水平方向に移動させて濾材を濾板に押し付けて濾材内のケーキを濾板と押圧板との間で濾過するように構成したものがある。
【０００４】
【発明が解決しようとする課題】
しかしながら、上記構成の濾板には、濾液を下に落下させるための溝が上下方向沿いと水平方向沿いとに形成されてはいるが、水平方向沿いの濾液排出用横溝に濾液が溜まってしまい、濾液の排出が円滑に行うことができないといった問題が生じる可能性がある。
【０００５】
従って、本発明の目的は、上記問題を解決することにあって、濾液の排出を円滑に行うことができる濾過装置の濾板及び濾過装置を提供することにある。
【０００６】
【課題を解決するための手段】
上記目的を達成するために、本発明は以下のように構成する。
【０００７】
本発明の第１態様によれば、下部が閉塞されて濾過すべき原液が収納されたのち上部が閉塞される筒状の濾材を押圧し、かつ、濾材対向面に、上記濾材を通過する濾液を下方に落下させるように水平方向に対して斜め下向きに傾斜した横溝を備えるようにしたことを特徴とする濾過装置の濾板を提供する。
【０００８】
本発明の第２態様によれば、上記横溝は、濾板中央部を中心として、上記中央部から濾板横方向の一端縁及び上記中央部から濾板横方向の他端縁にそれぞれ向うに従い斜め下向きに傾斜した八の字状に形成する第１の態様に記載の濾過装置の濾板を提供する。
【０００９】
本発明の第３態様によれば、下部が閉塞されて濾過すべき原液が収納されたのち上部が閉塞される筒状の濾材と、
上記濾材を支持する支持体と、
第１又は２の態様に記載の濾板より構成されかつ上記支持体に支持された上記濾材の上記下部と上記上部を閉塞した状態で上記濾材を押圧する押板と、
第１又は２の態様に記載の濾板より構成されかつ上記支持体に支持された上記濾材の上記下部と上記上部を閉塞した状態で上記濾材を上記押板との間で挟み込んで押圧して圧搾濾過させる受板と、
上記支持体に支持された上記濾材の下部を閉塞可能な第１開閉装置と、
上記支持体に支持された上記濾材の上部を閉塞可能な第２開閉装置とを備えることを特徴とする濾過装置を提供する。
【００１０】
本発明の第４態様によれば、上記受板に、上記濾材を受け入れる凹部が形成された板体とし、上記押板は上記濾材を受け入れる凹部無しの板体とする第３の態様に記載の濾過装置を提供する。
【００１１】
本発明の第５態様によれば、上記受板に、上記原液の液体成分が所定量排出されたかを検出する通電用レベル板を備えている第３又は４の態様に記載の濾過装置を提供する。
【００１２】
【発明の実施の形態】
以下に、本発明にかかる実施の形態を図面に基づいて詳細に説明する。
【００１３】
本発明の第１の実施形態にかかる濾板を使用するための濾過装置は、図１〜図１２に示すように、筒状の濾材１を支持体２に吊り部材例えば後述する支持紐１ｄ，１ｅを介して吊り支持し、上記濾材１の下部を第１開閉装置の一例としての第１開閉シリンダ６の駆動により閉塞したのち、原料投入弁８１を有する原料投入管口８に連通した上記濾材１の上端部開口部１ａより原液を濾材１内に供給し、上記濾材１の上部を第２開閉装置の一例としての第２開閉シリンダ７の駆動により閉塞するとともに、押板３５を有する押圧部材の一例としての可動板４により、上下の油圧シリンダ５１、５２の駆動で上記原液が収容された濾材１を押圧して圧搾濾過を行う一方、濾過終了後に上記第１開閉シリンダ６により濾材１の下端部の閉塞動作を解除して上記下端部開口部１ｂを開き、濾材１内のケーキを濾材下方に排出するように大略構成している。
【００１４】
上記筒状の濾材１は、図９〜図１２、及び図２０に示すように、筒状の濾材本体１ｇと、濾材本体１ｇの上部よりも上方の上端縁の中央部に配置され原液１５を濾材本体１ｇ内に投入するように原料投入管口８に連通するための濾材本体１ｇより細い口の筒状の上端部開口部１ａと、濾材本体１ｇの下部よりも下方の下端縁に配置されて濾材本体１ｇからケーキを排出するために濾材本体１ｇと大略同一径の下端部開口部１ｂと、濾材本体１ｇの下部のケーキ排出用下端部開口部１ｂの周囲に該下端部開口部１ｂの周囲を覆うように末広がりのスカート状の下端覆部１ｃとを設けている。
【００１５】
また、筒状濾材１の濾材本体１ｇの上部の両肩部には、振動付与部材の一例としての一対の振動機１２，１２に吊り支持するＵ字状の支持紐１ｄ，１ｄと、図２０にも示すように濾材本体１ｇの上縁部に配置されて固定板３に固定された両側一対の板バネ１０１，１０１に連結するとともに濾材本体１ｇの上縁部近傍の中央に配置されて後述する第２開閉装置の一例としての第２開閉シリンダ７の上部締付バー７１に板バネ９９を介して支持されたバネ１３に連結する支持紐１ｅ，１ｅ，１ｅと、原料投入管口８に濾材１の上端部開口部１ａを取付ける下部の取付紐１ｆとを設けている。
【００１６】
上記濾材１は、その濾材本体１ｇをポリプロピレン繊維より構成しているが、繊維の材質、繊維の太さ、網目の粗さ等は濾過すべき原液の性状に応じて適宜選択される。
【００１７】
また、上記濾材１の濾材本体１ｇの下端覆部１ｃは、ゴミ等の不純物がケーキ中に混入しないように防止する機能を有するものであって、濾材本体１ｇとは異なる材質、例えば撥水性の繊維にしたり、撥水性樹脂をコーティングしたものを用いることができる。
【００１８】
上記濾材１は、振動付与部材の一例としての一対の振動付与用シリンダ１２ａ，１２ａを有する振動機１２，１２又はバネ等を介して支持するとともに、上端部開口部１ａは取付紐１ｆにより原液投入口８に取付けて支持され、下端覆部１ｃは取付紐１ｆにより受皿装置９０に取付けて支持される。下端覆部１ｃは、振動機１２，１２により振動が付与されて濾材１が振動するときの振動ストローク分の余裕を持つことができるような長さを有するようにしている。この結果、下端覆部１ｃを取付紐１ｆにより受皿装置９０に取付けても、振動機１２，１２により振動が付与されると、取付紐１ｆにより濾材１の振動を妨げることなく、濾材１が自在に振動するようにしている。
【００１９】
上記支持体２は、支持体本体２０と固定板３とを両側でかつ上下の合計４本のサイドバー２１，…，２１により固定して構成されている。
【００２０】
上記支持体本体２０の上部には、第２開閉装置の一例としての第２開閉シリンダ７と、第１油圧シリンダ５１とを、それぞれ横方向例えば水平方向沿いに配置し、また、支持体本体２０の下部には、第２油圧シリンダ５２と、第１開閉装置の一例としての第１開閉シリンダ６をそれぞれ横方向例えば水平方向沿いに配置している。
【００２１】
また、上記下方の両側の一対のサイドバー２１，２１は、可動板４の両側方に設けた回転自在なローラ４１，４１を介して可動板４を支持している。
【００２２】
上記可動板４の濾材側には上記押板３５が固定されている。上記押板３５は、図３〜図５に示すように、濾材１に対向する面に、濾過により濾材１から排出される濾液を下方に導くために所定間隔毎に上下方向沿いに多数形成された濾液排出用縦溝３５ｂと、所定間隔毎に押板３５の中央部から各端部に向うに従い水平方向に対して斜め下向きに形成されて横方向沿いに上記濾液を導くための複数の濾液排出用横溝３５ａを八の字状に形成している。
【００２３】
なお、押板３５の中央部の上端より下方には、ケーキ１６を上下方向沿いに分割しやすくするための横断面三角形凸状の凸部３５ｃを上下方向沿いに設けて、押圧時に濾材１内に形成されるケーキ１６に凸部３５ｃを食い込ませてケーキ１６を上下方向沿いに分割しやすくすることもできる。
【００２４】
また、固定板３の濾材側には受板３１が固定されている。上記受板３１は、図６〜図８に示すように、濾材１に対向する面に、濾板横方向の両端縁部３１ｃを残して上記濾材１を受け入れるための凹部３１ｄを形成するとともに、上記凹部３１ｄの底面に、所定間隔毎に上下方向沿いに多数形成された濾液排出用縦溝３１ｂと、所定間隔毎に受板３１の中央部から各端部に向うに従い水平方向に対して斜め下向きに形成されて横方向沿いに上記濾液を導くための複数の濾液排出用横溝３１ａを八の字状に形成している。
【００２５】
上記凹部３１ｄの上部には上部係止部３３を一体に形成するとともに、上記凹部３１ｄの下部には下部係止片３２ａを別体とした下部係止部３２が形成されている。このように、下部係止片３２ａを別体としているのは、下部締付の方が上部締付よりもより大きな力がかかり、耐摩擦性大なる材質の係止片とするのが好ましく、損傷した場合には取替え可能とするのが好ましいためである。
【００２６】
なお、下部係止部３２の底面には上記濾液排出用縦溝３１ｂを形成している。
【００２７】
また、受板３１の上部の３箇所（上端部近傍に１箇所、中央部やや上方に２箇所）に通電用レベル板８５を設けて、濾材１内に供給された原液１５の液体成分が濾材１を通過して濾液として受板３１側に排出されるのを検出することにより原液１５の液面を検出する液面計を形成している。
【００２８】
なお、上記押板３５、受板３１の濾液排出用横溝３５ａ，３１ａの傾斜角度は図示では８°であるが、この濾液排出用横溝３５ａ，３１ａの傾斜角度は４°〜３０°が好ましい。傾斜角度が４°未満であると濾液を円滑に排出することができなくなるという問題がある。また、傾斜角度が３０°を超えると溝の加工がより煩雑となるという問題があるので、傾斜角度は４°〜３０°が好ましい。さらに、この範囲内でも、濾液の排出および濾板の加工をより円滑に行う観点によれば、傾斜角度は８°〜１５°がより好ましいものである。
【００２９】
また、上記濾液排出用横溝３５ａ，３１ａは傾斜を押板３５又は受板３１の濾板横方向の一端縁から他端縁に向けて一方向のみに斜め下向きに傾斜させることもできるが、中央部を中心として中央部から一端ふち及び中央部から他端縁にそれぞれ向うに従い斜め下向きに傾斜した八の字状に形成するのが、濾液排出の効果がより向上する。
【００３０】
また、押板３５、受板３１のどちらか一方、例えば受板３１のみに濾液排出溝３１ａ，３１ｂを形成することもできるが、押板３５と受板３１の両方に形成する方が濾液排出の効果がより向上する。
【００３１】
一方、上記第１開閉シリンダ６は、そのピストンロッド６ａの先端に縦断面Ｖ字凹状の下部締付バー６１を設けており、固定板３の受板３１の下端部に形成された縦断面Ｖ字凸状の下部係止部３２に係止するようにしている。よって、濾材１を下部締付バー６１と上記受板３１との間に濾材１の下端部を挟み込んで係止することにより、濾材１の下端部開口を閉塞するようにしている。なお、下部締付バー６１を縦断面Ｖ字凸状とし、係止部３２を縦断面Ｖ字凹状としてもよい。
【００３２】
上記第２開閉シリンダ７は、そのピストンロッド７ａの先端に縦断面Ｖ字凹状の上部締付バー７１を設けており、固定板３の受板３１の上端部に形成された縦断面Ｖ字凸状の上部係止部３３に係止するようにしている。よって、濾材１を上部締付バー７１と上記受板３１との間に濾材１の上部を挟み込んで係止することにより、濾材１の上部を閉塞するようにしている。なお、上部締付バー７１を縦断面Ｖ字凸状とし、係止部３３を縦断面Ｖ字凹状としてもよい。
【００３３】
上記駆動装置５の一例としての油圧シリンダ５１，５２は、図１９に示すように、それぞれ一端を支持体本体２０に固定し、ピストンロッド５１ａ，５２ａの先端は、ピン５１ｂ，５２ｂを介して枢着して可動板４に連結している。
【００３４】
よって、上記油圧シリンダ５１，５２の駆動により、可動板４は下方の両側のサイドバー２１，２１上の一対のローラ４１，４１の転動により案内されて横方向に移動するように構成されている。
【００３５】
上記受皿装置９０は、上部の濾液受皿９にて濾材１を通過して濾過された濾液１７が受け取られ、図１７に示すように、濾液１７は、濾材の外面（側面）及び濾板（固定板３の受板３１又は可動板４）の濾液排出溝を伝って下方へ流れ、濾液受皿９内に受け取られる。その後、図１７に示すように、濾液１７は、濾液受皿９から流桶９１内に案内される。
【００３６】
上記濾液受皿９は、図１２に示されるように、上記下部締付バー６１と一体的に連結されており、第１開閉シリンダ６の駆動により、下部締付バー６１とともに移動する。
【００３７】
なお、上記流樋９１には、図１２に示されるように筒状のケーキガイド９２が内装されており、上記濾材１の下端部開口部１ｂはケーキガイド９２の内側に垂れ下がり、濾材１内のケーキ１６は下端部開口部１ｂからケーキガイド９２の内側を通過して下方に落下するように案内される一方、濾材１の下端覆部１ｃはケーキガイド９２の外側を覆うように取付紐１ｆで取付け固定されて、下端覆部１ｃの表面に付着したり流れるゴミなどはケーキガイド９２の内側に入ることなく外側に案内されるようにして、ケーキ１６にゴミなどが混入しないようにしている。ケーキ回収装置は、上記濾過装置の下方に配置されており、ケーキガイド９２の内側を通過して下方に落下したケーキ１６を、スクリューコンベヤやベルトコンベヤ等により、所要の位置へ回収するようにしている。
【００３８】
次に、上記濾過装置を用いた濾過工程について説明する。
【００３９】
まず、図１２に示すように、筒状濾材１の上端部開口部１ａを原料投入管口８に取付紐１ｆで取付け、一対の上部支持紐１ｄ，１ｄを振動機１２，１２に吊り支持するとともに、支持紐１ｅ，１ｅ，１ｅを一対のバネ１０１，１０１及びバネ１３に吊り支持する。また、濾材１の下端覆部１ｃはケーキガイド９２の外側を覆うように取付けて固定する。
【００４０】
そして、図１３に示すように、前工程として、可動板４を駆動装置５の一例としての油圧シリンダ５１，５２の駆動で、所定の位置まで移動して、可動板４と固定板３の受板３１との隙間により、濾室１１の容積を決定する。
【００４１】
次に、図１４に示すように、濾材下部締切り工程として、第１開閉装置の一例としての第１開閉シリンダ６の駆動により下部締付バー６１を固定板３の受板３１の係止部３２に向けて移動し、上記濾材１の下端部開口１ｂよりも上方の濾材本体１ｇの下部を下部締付バー６１と係止部３２との間で閉塞する。
【００４２】
次に、図１５に示すように、原液投入工程として、下部が閉塞された濾材１内に、上記濾材１の上端部開口１ａより、原液供給管８の原料投入弁８１を開いて原液供給管口８から原液１５を供給する。このとき、液面計である通電用レベル板８５にて、上記濾材本体１ｇ内に供給された原液１５の液体成分が濾材１を通過して濾液として受板３１側に排出されるのを検出することにより、上記濾材本体１ｇ内の原液１５の液面を基に、適正量の原液１５を上記濾材本体１ｇ内に供給する。
【００４３】
次に、図１６に示すように、濾材上部締切り工程として、第２開閉装置の一例としての第２開閉シリンダ７の駆動により上部締付バー７１を固定板３の受板３１の係止部３３に向けて移動し、上記濾材本体１ｇの上端部開口１ａよりも下方の上記濾材１の上部を上部締付バー７１と係止部３３との間で閉塞する。この結果、原液１５は、上部及び下部が閉塞された上記濾材１内に保持されるとともに、原液１５中の水分は濾材１を通過して濾材１の外面及び濾板である受板３１の濾液排出溝３１ａ，３１ｂ及び押板３５の濾液排出溝３５ａ，３５ｂを伝って濾液受皿９内に濾液１７として集められ、濾液受皿９内から流樋９１内に濾液１７が案内される。
【００４４】
次に、図１７に示すように、圧搾工程として、可動板４を油圧シリンダ５１、５２の駆動で移動させ、可動板４と固定板３との間で濾材１を押圧し、濾材１内のケーキ１６を圧搾する。このときも、原液１５中の水分は濾材１を通過して濾材１の外面及び濾板である受板３１の濾液排出溝３１ａ，３１ｂ及び押板３５の濾液排出溝３５ａ，３５ｂを伝って濾液受皿９内に濾液１７として集められ、濾液受皿９内から流樋９１内に濾液１７が案内される。
【００４５】
次に、圧搾工程終了後、図１８に示すように、ケーキ排出工程として、油圧シリンダ５１，５２を逆駆動して可動板４による濾材１の圧搾を解除する。また、第１，第２開閉シリンダ６，７を逆駆動して濾材１の上部、下部を開き、濾材１内ケーキ１６をその自重による濾材下方への落下と、さらに振動機１２，１２やバネ１３による振動で、濾材１内のケーキ１６は下端部開口部１ｂからケーキガイド９２の内側を通過して下方に落下する。また、スクリューコンベヤ、ベルトコンベヤ等のケーキ回収装置により、落下したケーキ１６は回収される。
【００４６】
上記実施形態によれば、濾板である押板３５と受板３１の両方に、濾液を下に落下させるための横溝３１ａ，３５ａに傾斜をつけているため、横溝３１ａ，３５ａによる濾液の排出をより円滑に行うことができる。
【００４７】
また、受板３１に濾材１を受け入れる凹部３１ｄを形成し、押板３５にはそのような凹部を形成していないので、押板３５の構造はより簡単であり、製作がよりしやすくなる。
【００４８】
また、押板３５ではなく、受板３１に濾液が所定量供給されたかを検出する通電用レベル板８５を設けているので、押板３５に設ける場合と比較して、電気的トラブルがより少なく、確実に上記濾材本体１ｇ内への原液供給量を検出することができる。
【００４９】
また、筒状濾材１を支持紐１ｄ，１ｅを介して支持体２に吊り支持し、また、濾材１の下部には下端部開口１ｂの周囲に下端部開口１ｂの周囲を覆うように下端覆部１ｃを設けているため、原液１５は濾材１により濾過及び圧搾濾過された後、ケーキ１６が排出される間、上端部開口部１ａよりゴミ等の不純物が混入することもなく、また、下端覆部１ｃによりゴミ等の不純物がケーキ１６中に混入することがない。
【００５０】
また、ケーキ排出時に振動付与部材１２により濾材１に振動を付与できるようにしたので、濾材１に付着したケーキ１６を濾材１から分離させて円滑に排出させることができる。
【００５１】
また、上記下端覆部１ｂは撥水性を有するようにすれば、濾液１７などの水分が上記下端覆部１ｂを通過してケーキ１６側に侵入することを効果的に防止することができる。
【００５２】
また、濾材１の筒状の濾材本体の上部及び下部を締切ることにより袋状とし、押圧部材の一例としての可動板４にて、より高圧で圧搾することができるため、原液１５の濾過効率をより向上させることができるとともに、濾材は肩部で破損することもない。
【００５３】
次に、本発明の他の実施形態を図２１〜図２６に基いて説明する。
【００５４】
他の実施形態にかかる濾板である押板３５には、図２１〜図２３に示すように、濾材１に対向する面に濾液排出用縦溝３５ｂを形成するとともに、水平方向に対して傾斜角度１５°の濾液排出用横溝３５ａを八の字状に形成している。上記他の実施形態にかかる濾板である受板３１には、図２４〜図２６に示すように、濾材１に対向する面に、上記濾材１を受け入れるための凹部３１ｄを形成するとともに、上記凹部３１ｄの底面に、濾液排出用縦溝３１ｂを形成するとともに、水平方向に対して傾斜角１５°の濾液排出用横溝３１ａを八の字状に形成している。上記凹部３１ｄの上下には、上部係止部３３と、下部係止部３２が形成されている。この上部係止部３３と下部係止部３２には、それぞれ、より耐摩耗性の大きい材質よりそれぞれ形成された上部係止片３３ａと下部係止片３２ａとが配置されている。このように、上部係止片３３ａ及び下部係止片３２ａをそれぞれ別体としているのは、これらの締付部分に大きな力がかかり、耐摩擦性大なる材質の係止片とするのが好ましく、損傷した場合には取替え可能とするのが好ましいためである。また、受板３１の上部に円形の通電用レベル板８５を２ケ所設けて液面計を形成している。
【００５５】
この他の実施形態にかかる濾板である押板３５及び受板３１でも先の実施形態と同様な作用効果を奏することができる。
【００５６】
なお、本発明は、上記実施形態に限定されるものではなく、その他種々の態様で実施できる。
【００５７】
例えば、上記濾材１は上端部及び下端部開口部を同一形状とした筒状濾材とし、その断面形状を四角筒体、三角筒体等任意の多角形状や円形としてもよい。
【００５８】
また、上記第１，第２開閉シリンダ６，７のそれぞれは、空気シリンダでも油圧シリンダでもよいとともに、他の公知の駆動装置により同様な作用を行わせることもできる。
【００５９】
また、上記実施形態では、上記油圧シリンダ５１，５２と可動板４とを濾材１に対して同じ方向に配置して、可動板４を押すことにより圧搾濾過を行っているが、上記油圧シリンダ５１，５２と可動板４とを濾材１の両側に配置して、それぞれの油圧シリンダ５１，５２が配置された側とは濾材１を介して反対側の可動板４を油圧シリンダ５１，５２側に引くことにより圧搾濾過を行うこともできる。
【００６０】
また、濾材１に対する上記押圧シリンダ５１，５２の押圧作用は、一方向から押圧するものに限らず、例えば固定体側にも可動板を備えて、二方向から濾材１を押圧してもよい。
【００６１】
また、押板３５と受板３１との組合せは上記組合せに限定されるものではなく、押板３５の横溝の傾斜角と受板３１の横溝の傾斜角を異ならしてもよい。
【００６２】
また、上記押板３５の濾液排出用溝３５ａ，３５ｂと受板３１の濾液排出用溝３１ａ，３１ｂの上下位置、横位置を異ならせてもよい。また、下部係止部３２の下部係止部３２ａも、濾液が溜まらないよう傾斜を設けるとなおよい。
【００６３】
なお、上記様々な実施形態のうちの任意の実施形態を適宜組み合わせることにより、それぞれの有する効果を奏するようにすることができる。
【００６４】
【発明の効果】
本発明の濾板は押板と受板の両方に濾液を下に落下させるための横溝に水平方向に対して傾斜をつけているため、横溝による濾液の排出をより円滑に行うことができる。
【００６５】
また、受板に、濾材を受け入れる凹部を形成し、押板には凹部を形成していないので、押板の構造はより簡単であり、製作がよりしやすくなる。
【００６６】
また、押板ではなく、受板に濾液が所定量供給されたかを検出する通電用レベル板を設けているので、押板に設ける場合と比較して、電気的トラブルがより少なく、確実に濾液供給量を検出することができる。
【図面の簡単な説明】
【図１】本発明の一実施形態に係る濾板を有する濾過装置の側面図である。
【図２】上記濾過装置の平面図である。
【図３】上記実施形態に係る濾板の押板の正面図である。
【図４】図３の上記押板のＣ−Ｃ線の断面図である。
【図５】図３の上記押板の側面図である。
【図６】上記実施形態にかかる濾板の受板の正面図である。
【図７】図６の上記受板のＡ−Ａ線の断面図である。
【図８】図６の上記受板の側面図である。
【図９】上記濾過装置の濾材の正面図である。
【図１０】上記濾過装置の濾材の底面図である。
【図１１】上記濾過装置の濾材を上記濾過装置に取付けた状態を示す正面図である。
【図１２】上記濾過装置の濾材を上記濾過装置に取付けた状態を示す側面図である。
【図１３】上記濾過装置による作動状態の前工程を示す側面図である。
【図１４】上記濾過装置による作動状態の濾材下部締切り工程を示す側面図である。
【図１５】上記濾過装置による作動状態の原料投入工程を示す側面図である。
【図１６】上記濾過装置による作動状態の濾材上部締切り工程を示す側面図である。
【図１７】上記濾過装置による作動状態の圧搾工程を示す側面図である。
【図１８】上記濾過装置による作動状態のケーキ排出工程を示す側面図である。
【図１９】上記濾過装置の概略の側面図である。
【図２０】上記濾過装置の部分側面図である。
【図２１】本発明の他の実施形態にかかる濾板の押板の正面図である。
【図２２】図２１の上記押板の平面図である。
【図２３】図２１の上記押板の側面図である。
【図２４】上記他の実施形態にかかる濾板の受板の正面図である。
【図２５】図２４の上記受板のＡ−Ａ線の断面図である。
【図２６】図２４の上記受板の側面図である。
【符号の説明】
１…筒状濾材、１ａ…上端部開口、１ｂ…下端部開口、１ｃ…下端覆部、１ｄ…支持紐、１ｅ…支持紐、１ｆ…取付紐、１ｇ…濾材本体、２…支持体、３…固定体、４…可動板、５…駆動装置、６…第１開閉装置、７…第２開閉装置、８…原料投入管口、９…濾液受皿、１０…濾過装置、１１…濾室、１２…振動機、１２ａ…振動付与用シリンダ、１３…バネ、１５…原液、１６…ケーキ、１７…濾液、２０…支持体本体、２１…サイドバー、３１…受板、３１ａ…濾液排出用横溝、３１ｂ…濾液排出用縦溝、３１ｃ…縁部、３１ｄ…凹部、３２…下部係止部、３２ａ…係止片、３３…上部係止部、３３ａ…係止片、３５…押板、３５ａ…濾液排出用横溝、３５ｂ…濾液排出用縦溝、３５ｃ…凸部、４１…ローラ、５１…第１油圧シリンダ、５２…第２油圧シリンダ、５１ａ，５２ａ…ピストン、５１ｂ，５２ｂ…ピン、６１…下部締付バー、７１…上部締付バー、８０…原料投入ポンプ、８１…原料投入弁、８５…液面計（レベル板）、９０…受皿装置、９１…流樋、９２…ケーキガイド、９９，１０１…板バネ。
【図１】
0003577000.tif 000002
【図２】
0003577000.tif 000003
【図３】
0003577000.tif 000004
【図４】
0003577000.tif 000005
【図５】
0003577000.tif 000006
【図６】
0003577000.tif 000007
【図７】
0003577000.tif 000008
【図８】
0003577000.tif 000009
【図９】
0003577000.tif 000010
【図１０】
0003577000.tif 000011
【図１１】
0003577000.tif 000012
【図１２】
0003577000.tif 000013
【図１３】
0003577000.tif 000014
【図１４】
0003577000.tif 000015
【図１５】
0003577000.tif 000016
【図１６】
0003577000.tif 000017
【図１７】
0003577000.tif 000018
【図１８】
0003577000.tif 000019
【図１９】
0003577000.tif 000020
【図２０】
0003577000.tif 000021
【図２１】
0003577000.tif 000022
【図２２】
0003577000.tif 000023
【図２３】
0003577000.tif 000024
【図２４】
0003577000.tif 000025
【図２５】
0003577000.tif 000026
【図２６】
0003577000.tif 000027